(57)【特許請求の範囲】
【請求項１】
遊技盤の盤面上に形成された遊技領域から遊技球を導入するための入賞口と、該入賞口から導入した遊技球を前記遊技盤の後方で排出する排出口と、前記入賞口から排出口へと続く球流路と、を有して前記遊技盤に固定される遊技機用入賞装置において、
前記遊技盤と平行状で左右方向に延びる回動軸線周りで回動可能に配置され、前記遊技盤に沿って起立することにより前記入賞口を閉鎖して前記球流路への遊技球の導入を困難又は不能にする閉鎖位置と、その閉鎖位置から前方側に倒伏することにより前記入賞口を開放して前記球流路への遊技球の導入を容易又は可能にする開放位置とに変位する入賞扉と、
その入賞扉に対して直接的に又は他部材を介して間接的に連係し、該入賞扉を前記閉鎖位置と開放位置との間で変位させる電気的駆動源と、を備え、
前記球流路は、前記入賞口に対応して後方に延びる上流側流路と、その上流側流路の下流端に形成されて遊技球を１個ずつ通過可能な導入口から前記排出口に接続する下流側流路とを含み、
前記上流側流路は、左右どちらかの一側端側又は両側端側に前記入賞口から導入された遊技球を中央寄りに誘導案内するとともに、その中央寄りへの誘導方向が異なる態様で上下方向に並設された上側誘導部と下側誘導部とを備え、
前記上側誘導部と下側誘導部とは、所定の前後方向距離に対して中央寄りへ誘導案内する左右方向距離が、上側誘導部よりも下側誘導部の方が大きくなるように設定されていることを特徴とする遊技機用入賞装置。
【請求項２】
前記上側誘導部と下側誘導部とは、上側誘導部の始端部が下側誘導部の始端部よりも前方側に位置するように設定されている請求項１に記載の遊技機用入賞装置。
【請求項３】
前記上流側流路の天井面には、前記上側誘導部によって誘導案内される遊技球の流路に対応して段差状の凹部が形成されている請求項１又は２に記載の遊技機用入賞装置。
【請求項４】
前記上側誘導部及び下側誘導部は、閉鎖位置にある前記入賞扉との間が遊技球の直径よりも小さくなるように形成されている請求項１ないし３のいずれか１項に記載の遊技機用入賞装置。
【請求項５】
請求項１ないし４のいずれか１項に記載の遊技機用入賞装置が前記遊技盤に固定されたことを特徴とする遊技機。
【発明の詳細な説明】
【技術分野】
【０００１】
本発明は、遊技機用入賞装置及びそれを備えた遊技機に関する。
【背景技術】
【０００２】
従来の遊技機用入賞装置（アタッカー）には、入賞扉の後方の入賞領域において、入賞口から導入された遊技球を入賞領域の左右方向中央寄りに誘導案内するために、ステージの後端部で中央側ほど後方へ傾斜する左右対称形態で立設された複数の誘導壁を備えたものがある（例えば、特許文献１参照。）。
【先行技術文献】
【特許文献】
【０００３】
【特許文献１】特開２００９−１３１５２７号公報
【０００４】
特許文献１では、入賞装置の小型化の要請を受けて薄型化を図りつつ、入賞口から導入され導出口から導出される遊技球を、入賞領域において縦置き式の入賞検知手段により迅速かつ正確に入賞検知することができるようにしたものである。そして、その入賞装置では、遊技球の入賞検知を迅速に行うために、具体的には入賞した遊技球を左右方向中央寄りに迅速に誘導するために、ステージの奥行きを短くし、誘導壁をより前方に位置するように形成している。これにより、入賞口から導入された遊技球を早い段階で誘導壁によって左右方向中央寄りに誘導することができる。
【発明の概要】
【発明が解決しようとする課題】
【０００５】
しかしながら、誘導壁が前方に位置してくると、その誘導壁と閉鎖状態の入賞扉との間の距離が狭くなるので、入賞扉が閉鎖するときに遊技球が挟まって閉鎖動作が遅れ、余分な遊技球が入賞してしまう虞もあり、さらには球噛みが発生し易くなるというジレンマがある。従って、入賞口から導入された遊技球をステージ奥に一層スムーズに誘導できる誘導壁の構成の開発が要求されている。
【０００６】
本発明の課題は、上記実情に鑑みてなされたものであり、入賞扉寄りの前方に位置して遊技球の誘導を迅速に行うとともに、入賞口から導入された遊技球を、球噛みすることなくステージ奥にスムーズに誘導できる誘導壁を備えた遊技機用入賞装置及びそれを用いた遊技機を提供することにある。
【課題を解決するための手段】
【０００７】
上記課題を解決するために、本発明の遊技機用入賞装置は、
遊技盤の盤面上に形成された遊技領域から遊技球を導入するための入賞口と、該入賞口から導入した遊技球を遊技盤の後方で排出する排出口と、入賞口から排出口へと続く球流路と、を有して遊技盤に固定される遊技機用入賞装置において、
遊技盤と平行状で左右方向に延びる回動軸線周りで回動可能に配置され、遊技盤に沿って起立することにより入賞口を閉鎖して球流路への遊技球の導入を困難又は不能にする閉鎖位置と、その閉鎖位置から前方側に倒伏することにより入賞口を開放して球流路への遊技球の導入を容易又は可能にする開放位置とに変位する入賞扉と、
その入賞扉に対して直接的に又は他部材を介して間接的に連係し、該入賞扉を閉鎖位置と開放位置との間で変位させる電気的駆動源と、を備え、
球流路は、入賞口に対応して後方に延びる上流側流路と、その上流側流路の下流端に形成されて遊技球を１個ずつ通過可能な導入口から排出口に接続する下流側流路とを含み、
上流側流路は、左右どちらかの一側端側又は両側端側に入賞口から導入された遊技球を中央寄りに誘導案内するとともに、その中央寄りへの誘導方向が異なる態様で上下方向に並設された上側誘導部と下側誘導部とを備え、
前記上側誘導部と下側誘導部とは、所定の前後方向距離に対して中央寄りへ誘導案内する左右方向距離が、上側誘導部よりも下側誘導部の方が大きくなるように設定されていることを特徴とする。
【０００８】
上記課題を解決するために、本発明の遊技機は、
上記遊技機用入賞装置が遊技盤に固定されたことを特徴とする。
【発明の効果】
【０００９】
上記本発明の遊技機用入賞装置及びそれを備えた遊技機によれば、入賞口から排出口へと続く球流路が、入賞口に対応して後方に延びる上流側流路と、その上流側流路の後端に形成されて遊技球を１個ずつ通過可能な導入口から排出口に接続する下流側流路とを含み構成されている。そして、上流側流路には、左右どちらかの一側端側又は両側端側に入賞口から導入された遊技球を中央寄りに誘導案内するとともに、その中央寄りへの誘導方向が異なる態様で上下方向に並設された上側誘導部と下側誘導部とを備えている。これによれば、上下方向に誘導部が並設されているので、上流側流路（球流路）に導入される遊技球が入賞扉で受け止められて弾んで導入した場合にも、効率よく中央寄りに誘導することができる。また、誘導方向が異なる態様で上下の誘導部が並設されているので、入賞扉が開放位置から閉鎖位置に変位する際に、遊技球を押し上げながら閉鎖していく場合にも、開放位置（通常位置）と押し上げ位置での誘導方向を異ならせて遊技球を効率よく中央寄りに誘導するとともに、遊技球の球噛みを効果的に防止することができる。
【００１０】
また、上側誘導部と下側誘導部とは、所定の前後方向距離に対して中央寄りへ誘導案内する左右方向距離が、上側誘導部よりも下側誘導部の方が大きくなるように設定された構成とすることができる。これによれば、上流側流路（の底壁）を転動するときには、下側誘導部によって遊技球は中央寄りに誘導されるので、確実に所定の中央位置まで遊技球を誘導案内することができる。また、反対に、所定の前後方向距離に対する左右方向距離が、下側誘導部よりも上側誘導部の方が小さくなるように設定されているので、下側誘導部の中央寄り上方に空間が形成され、入賞扉が開放位置から閉鎖位置に変位する際に、遊技球を押し上げながら閉鎖していく場合に、その空間が遊技球の退避スペースとして機能して、入賞扉と誘導部（下側誘導部）との球噛みを効果的に防止することができる。
【００１１】
また、上側誘導部と下側誘導部とは、上側誘導部の始端部が下側誘導部の始端部よりも前方側に位置するように設定されている。これによれば、開放位置の入賞扉は後方側が低位（前方側が高位）となるように傾斜して保持されるので、上側誘導部の始端部を下側誘導部よりも前方側に位置させることで、入賞扉上の遊技球をより前方位置で中央寄りに誘導開始することが可能となり、迅速に遊技球を誘導することができる。
【００１２】
上流側流路の天井面には、上側誘導部によって誘導案内される遊技球の流路に対応して段差状の凹部が形成されている。これによれば、上側誘導部によって誘導案内される遊技球は、入賞扉が開放位置から閉鎖位置に変位する際に該入賞扉に押し上げられて天井面を転動するように誘導案内されるので、天井面の段差状の凹部で遊技球の移動に変化が起こり、球噛みを防止することができる。
【００１３】
また、上側誘導部及び下側誘導部は、閉鎖位置にある入賞扉との間が遊技球の直径よりも小さくなるように形成されている。これによれば、上側誘導部及び下側誘導部がより前方に位置するので、迅速に遊技球を中央寄りに誘導案内することができる。また、上側誘導部と下側誘導部とを備えることにより、誘導部と入賞扉との間での遊技球の球噛みを防止することができる。
【図面の簡単な説明】
【００１４】
【図１】本発明の実施形態に係る遊技機の一例を示す正面図である。
【図２】本発明の実施形態に係る遊技機用入賞装置の一例を示す斜視図であり、（Ａ）は入賞扉が閉鎖位置に変位した状態を示す図であり、（Ｂ）は入賞扉が開放位置に変位した状態を示す図である。
【図３】図２（Ｂ）の遊技機用入賞装置の平面図、正面図及び底面図である。
【図４】図２（Ａ）の遊技機用入賞装置の分解斜視図である。
【図５】図３（Ｂ）のＣ−Ｃ切断線における断面図である。
【図６】図５の要部Ｄ，Ｅの拡大図である。
【図７】入賞扉が閉鎖位置に変位した状態で、上側誘導部による遊技球の案内状態を説明する図であり、（Ａ）は入賞装置の一例を示す斜視図、（Ｂ）は図３（Ａ）のＡ−Ａ切断線における断面図、（Ｃ）は図３（Ｂ）のＣ−Ｃ切断線における断面図である。
【図８】図７に対応し、下側誘導部による遊技球の案内状態を説明する図である。
【発明を実施するための形態】
【００１５】
以下、本発明の実施形態について図面を参照しつつ説明する。
【実施例】
【００１６】
図１に示すように、遊技機１（以下、パチンコ機１ともいう）には、遊技盤２が設けられている。この遊技盤２の盤面２ａ（前面）には、円弧状のガイドレール２ｃが立設され、そのガイドレール２ｃによって略円形状に区画された遊技領域２ｂが形成されている。そして、遊技領域２ｂの中央には、液晶表示部３が搭載され、その液晶表示部３の下方（遊技領域２ｂの中央下部）にアタッカーと云われる遊技機用入賞装置４（以下、入賞装置４ともいう）が配置されている。また、液晶表示部３と入賞装置４との間には、始動入賞口を有して一対の回動翼片５ａによって形成される電動チューリップ（電チュー）５が配置されている。
【００１７】
なお、本明細書において、パチンコ機１における上下方向とは遊技盤２の盤面２ａに沿う態様で遊技球が流下する方向（鉛直方向）を意味する。また、前後方向とは、遊技盤２の盤面２ａに直交する方向（水平方向）を意味し、盤面２ａの遊技者側が前側であり、盤面２ａの奥側が後側である。また、左右方向とは、上下方向及び前後方向にそれぞれ直交する方向（水平方向）を意味する。
【００１８】
図１乃至図４に示すように、この入賞装置４は、遊技盤２に固定され、その遊技盤２の盤面２ａ上に形成された遊技領域２ｂから遊技球を導入するための入賞口１１と、該入賞口１１から導入した遊技球を遊技盤２の後方で排出する排出口１２と、入賞口１１から排出口１２へと続く球流路１３とを有している。
【００１９】
具体的な態様として、入賞装置４は、遊技盤２に固定するための台板２０と、その台板２０の後面側に組付けられるケース体３０とを備えている。そして、この台板２０には、左右方向を長手方向とする矩形状をなし、厚さ方向（前後方向）に貫通した開口２１が形成されており、この開口２１が入賞口１１（大入賞口）を形成している。また、ケース体３０は、上下に分割する形態で上ケース３０Ａと下ケース３０Ｂとを含み構成され、下ケース３０Ｂに上下方向に貫通した開口３１が形成されており、開口３１が排出口１２を形成している。そして、上ケース３０Ａと下ケース３０Ｂとが組み合わさって、入賞口１１と排出口１２とを接続する球流路１３が形成されている。従って、図示しない発射装置からガイドレール２ｃに沿って打ち出された遊技球は、遊技盤２の盤面２ａ上に形成された遊技領域２ｂから入賞口１１（開口２１）を通過して入賞し、球流路１３によって遊技盤２の後方側に誘導されて排出口１２（開口３１）で排出されることとなる。なお、開口３１は、Ｌ字状に形成されており、左右方向に延びる開口領域には、後述する検出スイッチ５５が開口領域を部分的に塞ぐ形で配置され、前後方向に延びる開口領域によって排出口１２が形成されるようになっている。
【００２０】
また、入賞装置４は、入賞口１１（開口２１）に対応して台板２０又はケース体３０に組付けられる入賞扉４０を備えている。入賞扉４０は、正面視において左右方向が長手方向となる矩形状の板状形態をなし（図１参照）、台板２０の開口２１（入賞口１１）に嵌め込まれるように、その開口２１の下縁２１ｕ側で左右方向に延びる遊技盤２に平行な回動軸線Ｏ１周りで回動可能に配置されている。そして、入賞扉４０は、遊技盤２に沿って起立することにより入賞口１１を閉鎖して球流路１３への遊技球の導入を困難又は不能にする閉鎖位置（図２（Ａ）参照）と、その閉鎖位置から前方側に倒伏することにより入賞口１１を開放して球流路１３への遊技球の導入を容易又は可能にする開放位置（図２（Ｂ）参照）とに回動変位する。
【００２１】
具体的な態様として、入賞扉４０は、両側部下端に回動軸線Ｏ１に沿って軸穴４１，４１が穿設されており、この軸穴４１，４１に上ケース３０Ａ及び下ケース３０Ｂの軸支部３２ａ，３２ｂに軸支された軸ピン４２，４２が挿通されて回転可能に固定されている。また、入賞扉４０は、両側部で後方に延出された延出部４３，４３が形成されている。遊技者側から見て左側の延出部４３には、外側に突出形成（例えば、回動軸線Ｏ１に平行状）された凸部４４が設けられている（図５参照）。凸部４４は、入賞扉４０が変位する際に後述する伝動部材５４の作用を受ける被作用部である。
【００２２】
また、入賞装置４は、入賞扉４０に対して直接的に又は他部材を介して間接的に連係し、入賞扉４０を閉鎖位置と開放位置との間で変位させる電気的駆動源としてのソレノイド５０を備えている。ソレノイド５０は、通電することにより励磁するコイル部を有したソレノイド本体５１と、そのソレノイド本体５１に支持されて前後方向で直線的に変位可能なプランジャ５２と、ソレノイド本体５１とプランジャ５２との間に配置され、プランジャ５２を前方側に付勢するコイルばね５３とを備えている。そして、ソレノイド５０は、そのプランジャ５２を前方側の突出位置と後方側の後退位置とでそれぞれ保持することにより、入賞扉４０を回動軸線Ｏ１周りで回動して閉鎖位置と開放位置とに変位させることとなる。
【００２３】
また、入賞装置４は、入賞扉４０とソレノイド５０との間に配置されプランジャ５２の駆動力を入賞扉４０に伝動する伝動部材５４を備えている。伝動部材５４は、入賞扉４０の回動軸線Ｏ１よりも後方においてその回動軸線Ｏ１と平行な揺動軸線Ｏ２周りで揺動可能に配置されている。即ち、伝動部材５４は、揺動軸線Ｏ２に沿って突出する揺動軸５４ａを備えている。また、伝動部材５４は、プランジャ５２のフランジ状のプランジャヘッド５２ａに連係される被作用部５４ｂと、入賞扉４０の延出部４３の凸部４４に連係してその揺動変位を入賞扉４０に伝動する作用片５４ｃとを備えている。なお、伝動部材５４の揺動軸５４ａは、上ケース３０Ａ及び下ケース３０Ｂに形成された軸支部３３ａ，３３ｂによって軸支されている。
【００２４】
また、入賞装置４は、入賞口１１で入賞した遊技球を検出する検出スイッチ５５を備えている。検出スイッチ５５は、上ケース３０Ａ及び下ケース３０Ｂに収容される形態で球流路１３上に配置され、該球流路１３を流下する遊技球を検出する。
【００２５】
上ケース３０Ａ及び下ケース３０Ｂは、図４に示すように、ソレノイド５０を収容するソレノイド収容部３４ａ，３４ｂと、伝動部材５４を収容する伝動部材収容部３５ａ，３５ｂと、検出スイッチ５５を収容するスイッチ収容部３６ａ，３６ｂと、を備えている。また、下ケース３０Ｂには、開放位置に変位した入賞扉４０に接続され、入賞した遊技球を検出スイッチ５５へ誘導するステージ部３７が形成されている。上ケース３０Ａには、下ケース３０Ｂのステージ部３７の後端で起立するように奥壁３８が形成されている。
【００２６】
そして、上ケース３０Ａ及び下ケース３０Ｂには、図２（Ｂ）及び図４に示すように、ステージ部３７の両端部で起立（垂下）するとともに、遊技球を中央寄りに誘導案内するための上側誘導部３９ａと下側誘導部３９ｂとが形成されている。上側誘導部３９ａと下側誘導部３９ｂは、球流路１３（上流側流路１４）の左右両側端側に形成されており、入賞口１１から導入された遊技球を中央寄りに誘導案内するとともに、その中央寄りへの誘導方向が異なる態様で上下方向に並設されている。なお、上側誘導部３９ａと下側誘導部３９ｂとは、球流路１３（上流側流路１４）の左右どちらかの一側端側に形成されているだけでもよい。以下、上側誘導部３９ａと下側誘導部３９ｂとをまとめて誘導部３９ともいう。
【００２７】
ここで、球流路１３は、入賞口１１に対応して後方に延びる上流側流路１４と、その上流側流路１４の後端に形成されて遊技球を１個ずつ通過可能な導入口１５から排出口１２に接続する下流側流路１６とを含み構成されている。即ち、上流側流路１４において、ステージ部３７が底壁を構成し、誘導部３９が側壁を構成している。そして、誘導部３９と奥壁３８との間の開口が導入口１５を構成する。
【００２８】
そして、図４に示すように、ステージ部３７（上流側流路１４）は、導入口１５の前方領域にその導入口１５へ遊技球を転動案内するために後方側に行くほど低位となした第１転動面３７ａが形成され、その第１転動面３７ａに隣接した側方領域に左右方向においては第１転動面３７ａに行くほど低位となし、前後方向においては前方側に行くほど低位となした第２転動面３７ｂが形成されている。
【００２９】
また、導入口１５は、上流側流路１４の後端で左右方向に所定の間隔を隔てて少なくとも２箇所に設けられており、その隣り合う導入口１５のそれぞれの前方領域に第１転動面３７ａ，３７ａが形成され、その第１転動面３７ａ，３７ａによって挟まれた側方領域に、左右方向において所定の中間位置が頂部Ｔとなるように双方の第１転動面３７ａ，３７ａ側に行くほど低位となした第２転動面３７ｂ，３７ｂがそれぞれ形成されている。
【００３０】
誘導部３９の説明に戻り、上側誘導部３９ａと下側誘導部３９ｂとは、左右両側端から導入口１５に向けて、中央側に行くほど後位置となるように傾斜して形成されている。上側誘導部３９ａと下側誘導部３９ｂとは、所定の前後方向距離Ｚに対して中央寄りへ誘導案内する左右方向距離が、上側誘導部３９ａよりも下側誘導部３９ｂの方が大きくなるように設定されている。また、上側誘導部３９ａと下側誘導部３９ｂとは、所定の左右方向距離Ｘに対して中央寄りへ誘導案内する前後方向距離が、上側誘導部３９ａよりも下側誘導部３９ｂの方が小さくなるように設定されている（図６（Ｂ）参照）。
【００３１】
具体的な態様として、上側誘導部３９ａは、屈曲部６０を有して段階的（本実施形態では２段階）に誘導案内量（傾斜角度）を変化した誘導壁として形成され、その誘導壁の上流側領域に、上下方向に幅狭に突出形成された誘導リブ６１を含み構成されている。これにより、誘導リブ６１が、上側誘導部３９ａの上流側領域で遊技球の誘導を行うこととなる。
【００３２】
そして、上側誘導部３９ａは、図５及び図６に示すように、下（上）から見て、下側誘導部３９ｂの後方側に後退するように形成され、その後退した位置から誘導リブ６１が下側誘導部３９ｂの前方に突出するように形成されている。すなわち、誘導リブ６１（上側誘導部３９ａ）の始端部ｓ１が下側誘導部３９ｂの始端部ｓ２よりも前方側に位置するように設定されている。また、誘導リブ６１の始端部ｓ１は、下側誘導部３９ｂの始端部ｓ２よりも左右方向の外側に位置するように設定されている（図６（Ｂ）参照）。これにより、入賞口１１（入賞扉４０）から導入される遊技球を早い段階で左右方向中央寄りに誘導案内することが可能となる。
【００３３】
また、図３（Ｂ）及び図５、図６に示すように、上流側流路１４の天井面には、上側誘導部３９ａによって誘導案内される遊技球の流路に対応して段差状の凹部６９が形成されている。具体的な態様として、台板２０には、開口２１の周縁部から後方に立ち上がり、上流側流路１４を接続するようにケース体３０が固定される周壁部２２が形成されている。そして、凹部６９は、その周壁部２２の上辺２２ａの内壁面（下面）に所定の間隔を隔てて左右に１つずつ、計２箇所に形成されている。また、凹部６９は、誘導リブ６１の終端部における左右方向位置から中央寄りに向けて窪むように形成されている。
【００３４】
次に、図７及び図８を用いて、入賞口１１から導入した遊技球が上流側流路１４において誘導部３９に誘導案内される流下パターンを説明する。図７に示すように、ソレノイド５０が通電状態（励磁）となると、伝動部材５４を介して入賞扉４０が開放位置に保持される。そして入賞扉４０の右端から入賞口１１に導入された遊技球Ｂ１は、上側誘導部３９ａの誘導リブ６１に当接し（特に、図７（Ｃ）参照）、左右方向中央寄り側に向けて誘導案内が開始される。このとき、遊技球Ｂ１は、入賞扉４０上の前後方向の中途に位置しており、下側誘導部３９ｂから前方及び上方に離間した状態となる。
【００３５】
そして、遊技球Ｂ１は、誘導リブ６１によって左右方向中央寄り側に向けて誘導案内されると、下側誘導部３９ｂに当接し、上側誘導部３９ａの誘導リブ６１の当接（誘導案内）が切り離されて、遊技球Ｂ２の状態となる（図８参照）。そして、遊技球Ｂ２は、下側誘導部３９ｂによって引き続き左右方向中央寄り側に向けて誘導案内が行われる。遊技球Ｂ２は、下側誘導部３９ｂの終端部まで左右方向中央寄り側に向けて誘導案内された後、ステージ部３７における第１転動面３７ａの傾斜によって後方の導入口１５へ向かって転動し、検出スイッチ５５により入賞が検知され、下流側流路１６を介して排出口１２から排出されることとなる。
【００３６】
ここで、図７（Ｂ）及び図８（Ｂ）に示すように、上側誘導部３９ａ及び下側誘導部３９ｂは、閉鎖位置にある入賞扉４０（一点鎖線）との間が遊技球の直径よりも小さくなるように形成されている。これにより、誘導部３９が、入賞扉４０寄りの前方に位置して遊技球の誘導案内を迅速に行うとともに、入賞口１１から導入された遊技球を、球噛みすることなくステージ部３７の奥側（導入口１５）にスムーズに誘導案内することができる。ひいては、検出スイッチ５５をより前方に配置して、入賞から検出までの時間を短くすることができる。
【００３７】
そして、誘導部３９は、上述の如く、上側誘導部３９ａが下側誘導部３９ｂに対して後退し、下側誘導部３９ｂの上方及び上側誘導部３９ａの前方にスペースが形成されているので、遊技球Ｂ１，Ｂ２のように遊技球が誘導部３９によって誘導案内されている状態で、入賞扉４０が開放位置から閉鎖位置へと移行し、入賞扉４０に押し上げられる場合にも、上記スペースによって、球噛みすることなく下側誘導部３９ｂに乗り上がることができ、さらには、台板２０における周壁部２２の上辺２２ａに形成された凹部６９の段差によって、遊技球の転動（流下）に変化を与えることができ、より一層効果的に球噛みを回避して遊技球を導入口１５へと誘導することができる。
【００３８】
なお、本発明では遊技機の一例としてパチンコ機について説明したが、他に例えばアレンジボール遊技機、雀球遊技機等の入賞装置が設けられる遊技機に適用することができる。
【符号の説明】
【００３９】
１  パチンコ機（遊技機）
２  遊技盤
２ｂ  遊技領域
２ｃ  ガイドレール
３  液晶表示部
４  入賞装置（遊技機用入賞装置）
５  電動チューリップ
１１  入賞口
１２  排出口
１３  球流路
１４  上流側流路
１５  導入口
１６  下流側流路
２０  台板
２１  開口
２２  周壁部
２２ａ  上辺
３０  ケース体
３０Ａ  上ケース
３０Ｂ  下ケース
３１  開口
３２ａ，３２ｂ  軸支部
３３ａ，３３ｂ  軸支部
３４ａ，３４ｂ  ソレノイド収容部
３５ａ，３５ｂ  伝動部材収容部
３６ａ，３６ｂ  スイッチ収容部
３７  ステージ部
３７ａ  第１転動面
３７ｂ  第２転動面
３８  奥壁
３９ａ，３９ｂ  誘導部
４０  入賞扉
４１  軸穴
４２  軸ピン
４３  延出部
４４  凸部
５０  ソレノイド（電気的駆動源）
５１  ソレノイド本体
５２  プランジャ
５２ａ  プランジャヘッド
５３  コイルばね
５４  伝動部材
５５  検出スイッチ
６０  屈曲部
６１  誘導リブ
６９  凹部
Ｂ１，Ｂ２  遊技球
Ｏ１  回動軸線
Ｏ２  揺動軸線
【図１】
0005419179.tif 000002
【図２】
0005419179.tif 000003
【図３】
0005419179.tif 000004
【図４】
0005419179.tif 000005
【図５】
0005419179.tif 000006
【図６】
0005419179.tif 000007
【図７】
0005419179.tif 000008
【図８】
0005419179.tif 000009